(57)【要約】【課題】注文に係る注文情報の入力を受け付ける入力装置の導入、故障時の機器セットアップの手間を軽減する。【解決手段】注文に係る注文情報の入力を受け付ける入力装置において、近距離無線通信部と、入力手段と、第１書込手段と、を備える。前記近距離無線通信部は、記憶装置を含む回路が組み込まれていて近距離における無線通信が可能な媒体との間における近距離無線通信を確立する。前記入力手段は、各種の設定情報を入力する。前記第１書込手段は、入力された前記設定情報を前記近距離無線通信部による無線通信によって前記媒体に書き込む。【選択図】図３
2014109872.tif 000002
【特許請求の範囲】
【請求項１】
注文に係る注文情報の入力を受け付ける入力装置において、
記憶装置を含む回路が組み込まれていて近距離における無線通信が可能な媒体との間における近距離無線通信を確立する近距離無線通信部と、
各種の設定情報を入力する入力手段と、
入力された前記設定情報を前記近距離無線通信部による無線通信によって前記媒体に書き込む第１書込手段と、
を備えることを特徴とする入力装置。
【請求項２】
前記注文情報の管理業務処理を実行する処理装置との間における無線通信を制御する無線通信部を更に備え、
前記入力手段が入力する前記設定情報は、前記無線通信部における無線通信に係る設定情報を含む、
ことを特徴とする請求項１記載の入力装置。
【請求項３】
前記設定情報が書き込まれた前記媒体から前記近距離無線通信部による無線通信によって当該設定情報を読み込む第１読込手段と、
読み込んだ前記設定情報を記憶部に記憶する記憶手段と、
を備えることを特徴とする請求項１または２記載の入力装置。
【請求項４】
他の入力装置に対応する前記媒体から前記近距離無線通信部による無線通信によって前記設定情報を読み込む第２読込手段と、
読み込んだ前記設定情報を前記近距離無線通信部による無線通信によって別の前記媒体に書き込む第２書込手段と、
を備えることを特徴とする請求項３記載の入力装置。
【請求項５】
注文に係る注文情報の入力を受け付ける入力装置において、
記憶装置を含む回路が組み込まれていて近距離における無線通信が可能な媒体との間における近距離無線通信を確立する近距離無線通信部と、
各種の設定情報を入力する入力手段と、
入力された前記設定情報を前記近距離無線通信部による無線通信によって前記媒体に書き込む第１書込手段と、
前記設定情報が書き込まれた前記媒体から前記近距離無線通信部による無線通信によって当該設定情報を読み込む第１読込手段と、
読み込んだ前記設定情報を記憶部に記憶する記憶手段と、
他の入力装置に対応する前記媒体から前記近距離無線通信部による無線通信によって前記設定情報を読み込む第２読込手段と、
読み込んだ前記設定情報を前記近距離無線通信部による無線通信によって別の前記媒体に書き込む第２書込手段と、
を備えることを特徴とする入力装置。
【請求項６】
注文に係る注文情報の入力を受け付けるものであって、記憶装置を含む回路が組み込まれていて近距離における無線通信が可能な媒体との間における近距離無線通信を確立する近距離無線通信部を備える入力装置を制御するコンピュータを、
各種の設定情報を入力する入力手段と、
入力された前記設定情報を前記近距離無線通信部による無線通信によって前記媒体に書き込む第１書込手段と、
前記設定情報が書き込まれた前記媒体から前記近距離無線通信部による無線通信によって当該設定情報を読み込む第１読込手段と、
読み込んだ前記設定情報を記憶部に記憶する記憶手段と、
他の入力装置に対応する前記媒体から前記近距離無線通信部による無線通信によって前記設定情報を読み込む第２読込手段と、
読み込んだ前記設定情報を前記近距離無線通信部による無線通信によって別の前記媒体に書き込む第２書込手段と、
として機能させるためのプログラム。
【発明の詳細な説明】
【技術分野】
【０００１】
本発明の実施形態は、入力装置およびプログラムに関する。
【背景技術】
【０００２】
例えばファミリーレストランや居酒屋等の多くの飲食店では、メニュー品目の注文の受付業務や会計業務などの種々の業務に関する処理を実行する処理装置が利用されている。このような処理装置では、店員等のユーザの操作を注文入力装置で入力し、その入力された操作に応じた処理を実行する。
【０００３】
具体的には、飲食店で使用されるシステムの場合、上記の注文入力装置および処理装置はそれぞれ、例えばオーダー端末およびステーション（サーバ）である。そしてこの場合にオーダー端末では、顧客により注文されたメニュー品目を注文担当者が入力操作する。オーダー端末は、入力した操作に基づいて注文されたメニュー品目のリストを含んだ注文情報を生成し、それをステーションに送信する。ステーションは、注文情報に基づいて、調理指示伝票の作成や売上管理処理などを行う。
【発明の概要】
【発明が解決しようとする課題】
【０００４】
ところで、従来、オーダー端末の導入時には、担当者が店舗に赴き、当該オーダー端末の機器ＩＤや管理情報（例えば、無線ＬＡＮの設定データ）などの設定情報を入力して設定するようにしている。また、オーダー端末が故障した場合にも、担当者が店舗に赴き、当該故障端末の機器ＩＤや管理情報（例えば、無線ＬＡＮの設定データ）などの設定情報を初期状態（工場出荷状態）の別のオーダー端末に入力することによって、故障端末との入れ替えを行うようにしている。
【０００５】
しかしながら、従来の導入時における設定作業や故障時における端末の入れ替え作業は、オーダー端末に対して機器ＩＤや無線通信に係る管理情報などの設定情報を手入力しなければならず、作業効率が非常に悪いものとなっていた。
【課題を解決するための手段】
【０００６】
実施形態は、注文に係る注文情報の入力を受け付ける入力装置において、近距離無線通信部と、入力手段と、第１書込手段と、を備える。前記近距離無線通信部は、記憶装置を含む回路が組み込まれていて近距離における無線通信が可能な媒体との間における近距離無線通信を確立する。前記入力手段は、各種の設定情報を入力する。前記第１書込手段は、入力された前記設定情報を前記近距離無線通信部による無線通信によって前記媒体に書き込む。
【０００７】
実施形態は、注文に係る注文情報の入力を受け付ける入力装置において、近距離無線通信部と、入力手段と、第１書込手段と、第１読込手段と、記憶手段と、第２読込手段と、第２書込手段と、を備える。前記近距離無線通信部は、記憶装置を含む回路が組み込まれていて近距離における無線通信が可能な媒体との間における近距離無線通信を確立する。前記入力手段は、各種の設定情報を入力する。前記第１書込手段は、入力された前記設定情報を前記近距離無線通信部による無線通信によって前記媒体に書き込む。前記第１読込手段は、前記設定情報が書き込まれた前記媒体から前記近距離無線通信部による無線通信によって当該設定情報を読み込む。前記記憶手段は、読み込んだ前記設定情報を記憶部に記憶する。前記第２読込手段は、他の入力装置に対応する前記媒体から前記近距離無線通信部による無線通信によって前記設定情報を読み込む。前記第２書込手段は、読み込んだ前記設定情報を前記近距離無線通信部による無線通信によって別の前記媒体に書き込む。
【０００８】
実施形態のプログラムは、注文に係る注文情報の入力を受け付けるものであって、記憶装置を含む回路が組み込まれていて近距離における無線通信が可能な媒体との間における近距離無線通信を確立する近距離無線通信部を備える入力装置を制御するコンピュータを、入力手段と、第１書込手段と、第１読込手段と、記憶手段と、第２読込手段と、第２書込手段と、として機能させる。前記入力手段は、各種の設定情報を入力する。前記第１書込手段は、入力された前記設定情報を前記近距離無線通信部による無線通信によって前記媒体に書き込む。前記第１読込手段は、前記設定情報が書き込まれた前記媒体から前記近距離無線通信部による無線通信によって当該設定情報を読み込む。前記記憶手段は、読み込んだ前記設定情報を記憶部に記憶する。前記第２読込手段は、他の入力装置に対応する前記媒体から前記近距離無線通信部による無線通信によって前記設定情報を読み込む。前記第２書込手段は、読み込んだ前記設定情報を前記近距離無線通信部による無線通信によって別の前記媒体に書き込む。
【図面の簡単な説明】
【０００９】
【図１】図１は、実施形態に係る注文処理システムの構成を示すシステム構成図である。
【図２】図２は、オーダー端末の外観を示す平面図である。
【図３】図３は、オーダー端末のハードウェア構成を示すブロック図である。
【図４】図４は、設定処理にかかる機能を示すブロック図である。
【図５】図５は、設定処理（導入時）の流れを概略的に示すフローチャートである。
【図６】図６は、設定処理（故障時）の流れを概略的に示すフローチャートである。
【発明を実施するための形態】
【００１０】
以下、図面を参照して一実施形態について説明する。
【００１１】
図１は、実施形態に係る注文処理システム１００の構成を示すシステム構成図である。この注文処理システム１００は、飲食店や販売店などのような顧客の注文に応じて飲食サービスや商品販売サービスを提供する様々な施設で利用可能である。ただし以下においては、飲食店での利用に適応するものとして構成された注文処理システム１００について説明することとする。
【００１２】
注文処理システム１００は、複数の情報端末１、複数のオーダー端末２、複数の伝票プリンタ３およびステーション４をＬＡＮ（Local  Area  Network）５にそれぞれ接続している。ただし、オーダー端末２は、無線アクセスポイント６を介してＬＡＮ５に接続される。情報端末１、オーダー端末２および伝票プリンタ３は、図１では２つずつを図示しているが、その数はそれぞれに任意である。情報端末１、オーダー端末２および伝票プリンタ３は、１つのみが設けられても良い。
【００１３】
情報端末１は、ＰＣ（Personal  Computer）やＰＯＳ（Point  of  Sales）端末などであり、例えば接客フロアやチェックアウトカウンタに設置される。情報端末１は、顧客に対する案内業務、受注業務、給仕（配膳）業務、あるいは会計業務など各種の業務に関する処理を行う。そして、接客フロアに設置された情報端末１においては、案内業務、受注業務および給仕（配膳）業務に関する処理が主として利用される。また、チェックアウトカウンタに設置された情報端末１においては、さらに会計業務に関する処理が利用される。なお、情報端末１は、上記の業務の一部のみに関する処理を行うことにより、特定の用途に特化したものとしても良い。
【００１４】
オーダー端末２は、操作キーが複数配列されたユーザインタフェースを備え、このユーザインタフェースを介したユーザ操作によって注文に係る注文情報の入力を受け付ける注文入力装置として機能する。オーダー端末２は、入力した操作に従って注文情報を生成し、この注文情報を無線送信する。オーダー端末２から無線送信された注文情報は、無線アクセスポイント６およびＬＡＮ５を介してステーション４に伝送される。
【００１５】
ステーション４は、例えばバックヤードに設置され、情報端末１から送信された各種の情報を集計処理し、飲食店の営業に関わる管理業務に関する処理を行う処理装置として機能する。また、ステーション４は、複数の情報端末１で共通に利用される情報の管理処理も行う。
【００１６】
伝票プリンタ３は、例えば接客フロアやキッチンに設置される。接客フロアに設置された伝票プリンタ３は、注文情報に基づく注文伝票を顧客のために印刷する。すなわち、接客フロアに設置された伝票プリンタ３は、いわゆるカスタマープリンタとして利用される。またキッチンに設置された伝票プリンタ３は、注文情報に基づく調理指示伝票を調理人のために印刷する。すなわち、キッチンに設置された伝票プリンタ３は、いわゆるキッチンプリンタとして利用される。
【００１７】
概略的には、注文処理システム１００においては、情報端末１やオーダー端末２でオーダー入力のための操作をユーザが行うと、その操作に応じて情報端末１やオーダー端末２で生成された注文情報がＬＡＮ５を介してステーション４に伝送される。ステーション４は、到来した注文情報を、会計処理や集計処理などのために管理する。またステーション４は、ＬＡＮ５を介して伝票プリンタ３へと注文情報を送信する。伝票プリンタ３は、到来した注文情報に応じた内容の調理指示伝票や注文伝票を印刷する。
【００１８】
次に、オーダー端末２について説明する。ここで、図２はオーダー端末２の外観を示す平面図、図３はオーダー端末２のハードウェア構成を示すブロック図である。
【００１９】
オーダー端末２は、携帯型の本体として、図２で左側に配置される第１の部材２１と、図２で右側に配置される第２の部材２２とを備える。第１の部材２１および第２の部材２２は、いずれも略直方体状をなしている。第２の部材２２は、ヒンジ等の止め具２３を介して第１の部材２１に回動自在に連結されている。この止め具２３により、第２の部材２２は、第１の部材２１に対して第２の部材２２を開いた状態（図２）と閉じた状態（不図示）との間で開閉動作する。
【００２０】
第１の部材２１は、第２の部材２２を第１の部材２１に対して開いたときに外側に露出される面２１Ａに、表示操作部であるタッチパネル２４を配置している。また、図２で左側の側面２１Ｂにサイドキー２５を設けている。第２の部材２２は、この第２の部材２２を第１の部材２１に対して開いたときに外側に露出される面２２Ａに、メンブレン方式のキーボード２６を配置している。
【００２１】
タッチパネル２４は、表示部である液晶ディスプレイ（以下、ディスプレイと略す）２４１の画面上に操作部であるタッチパネルセンサ２４２を重ねて配置してなり、表示入力部２４Ａとテンキー部２４Ｂとに区分されている。表示入力部２４Ａには、後述する画面データが表示される。テンキー部２４Ｂには、「０」〜「９」のテンキーの他、「戻る」キー、「Ｃ」のクリアキー、「更新」キー、「△」および「▽」の上下キー、「・」の小数点キーが配置される。
【００２２】
メンブレン方式のキーボード２６には、文字や輪郭が表面にマトリクス状に印刷された複数の固定キーが配置されている。メンブレン方式のキーボード２６は、他の種類のキーボードと比較して泥や液体等の汚れに強いという特徴を有している。各固定キーには、それぞれ注文業務を支援するための機能が割り付けられている。
【００２３】
オーダー端末２は、第１の部材２１または第２の部材２２のいずれか一方に、制御ボード３０を内蔵している。制御ボード３０には、図３に示すように、マイクロコンピュータ３９が備えられており、このマイクロコンピュータ３９が各部を駆動制御する。マイクロコンピュータ３９は、図３に示すように、各部を集中的に制御するＣＰＵ（Central  Processing  Unit）３１に、アドレスバス，データバス等のバスライン３８を介してＲＯＭ（Read  Only  Memory）３２と、ＲＡＭ（Random  Access  Memory）３３とが接続されて構成されている。このようなマイクロコンピュータ３９には、時計部３４、無線部３５、キーコントローラ３６、タッチパネルコントローラ３７および近距離無線通信部４０がバスライン３８を介して接続されている。
【００２４】
ＲＯＭ３２は、電源を切っても記憶情報が保持される不揮発性メモリであって、制御プログラム３２１を含むプログラムやメニュー品目の設定データやメニュー品目の品切れデータなどのメニューデータ等の固定的データを記憶する記憶部として機能する。また、ＲＯＭ３２は、無線部３５における無線通信に係る設定を記憶する。無線通信に係る設定とは、オーダー端末２のＩＰアドレスに加え、ＥＳＳＩＤ、ステーション４のＩＰアドレスなどである。
【００２５】
ＲＡＭ３３は、ディスプレイ２４１に表示させる画面データやステーション４に送信するデータ等の可変的データを記憶する。時計部３４は、現在の日付および時刻を計時する。
【００２６】
無線部３５は、無線アクセスポイント６との間でデータの送受信を制御する無線通信部であって、例えばIEEE  802.11規格の無線通信を実行する無線通信デバイスである。
【００２７】
キーコントローラ３６は、サイドキー２５およびキーボード２６の各固定キーを監視し、キー入力の有無を判別する。タッチパネルコントローラ３７は、タッチパネル２４のディスプレイ２４１に表示される画面を制御する。また、タッチパネルコントローラ３７は、タッチパネルセンサ２４２の信号により画面上のタッチ位置を示す二次元座標を検出する。
【００２８】
近距離無線通信部４０は、ＮＦＣ（Near  Field  Communication）として知られるものであって、数センチ程度〜ゼロセンチの近距離での小電力無線通信技術により、例えばＩＣタグＸと無線通信を行うためのインタフェースである。
【００２９】
ＩＣタグＸは、半導体メモリなどの記憶装置を含む集積回路（ＩＣ）が組み込まれているとともに、近距離における無線通信機能を有する周知の媒体である。このＩＣタグＸは、極小であって貼脱自在なシール状の形態である。
【００３０】
このＩＣタグＸは、サービス本部にて各オーダー端末２の機器ＩＤや管理情報（例えば、無線ＬＡＮの設定データ）などの設定情報が予め書き込まれ、導入の際に該当するオーダー端末２に取り付けられる。ＩＣタグＸは、例えばユーザから見えないようにバッテリ（図示せず）の裏側などに取り付けられる。
【００３１】
続いて、オーダー端末２のマイクロコンピュータ３９（ＣＰＵ３１）が制御プログラム３２１に従って実行する各種の処理のうち、オーダー端末２の設定処理について説明する。なお、本実施形態のオーダー端末２は、設定業務モードとして以下の３つのモードを有している。
モード１：オーダー端末２で設定した情報をＩＣタグＸに書き込む。
モード２：ＩＣタグＸより読み込み後、オーダー端末２で変更（任意）、その後、オーダー端末２へ設定を反映する。
モード３：ＩＣタグＸより読み込み後、オーダー端末２で変更（任意）、その後、再度ＩＣタグＸに書き込む。
【００３２】
なお、上述したモードは、タッチパネル２４やキーボード２６の操作により選択可能である。
【００３３】
ここで、図４はオーダー端末２のマイクロコンピュータ３９（ＣＰＵ３１）が発揮する設定処理にかかる機能を示すブロック図である。図４に示すように、オーダー端末２のＣＰＵ３１は制御プログラム３２１に従って動作することによって、入力手段３１１と、第１書込手段３１２と、第１読込手段３１３と、記憶手段３１４と、第２読込手段３１５と、第２書込手段３１６と、として機能する。
【００３４】
入力手段３１１は、オーダー端末２の機器ＩＤや管理情報（例えば、無線部３５の設定データ）などの設定情報を入力する。
【００３５】
第１書込手段３１２は、入力手段３１１によって入力された設定情報を近距離無線通信部４０による無線通信によってＩＣタグＸに書き込む。第１読込手段３１３は、第１書込手段３１２によって設定情報が書き込まれたＩＣタグＸから近距離無線通信部４０による無線通信によって当該設定情報を読み込む。記憶手段３１４は、第１読込手段３１３が読み込んだ設定情報をＲＯＭ３２に記憶する。
【００３６】
第２読込手段３１５は、他のオーダー端末２（例えば、故障したオーダー端末２）に対応するＩＣタグＸから近距離無線通信部４０による無線通信によって設定情報を読み込む。第２書込手段３１６は、第２読込手段３１５によって読み込んだ設定情報を近距離無線通信部４０による無線通信によって別のＩＣタグＸに書き込む。
【００３７】
［ＩＣタグＸへの設定時］
まず、オーダー端末２の設定業務（モード１）によるＩＣタグＸへの情報設定について説明する。ＩＣタグＸへの設定は、例えばサービス本部にて、各オーダー端末２の機器ＩＤや管理情報（例えば、無線部３５の設定データ）などの設定情報を機器台数分のＩＣタグＸに対してそれぞれ書き込むことにより行う。
【００３８】
設定業務（モード１）が選択されている場合、オーダー端末２のＣＰＵ３１（入力手段３１１）は、タッチパネル２４やキーボード２６を介して機器ＩＤの入力を受け付ける。すると、オーダー端末２のＣＰＵ３１（第１書込手段３１２）は、予め設定されたシステム情報マスタが有る場合には、記憶された各種の設定情報を近距離無線通信部４０による無線通信によってＩＣタグＸへ書き込んで設定する。設定情報は、例えば、当該機器ＩＤにリンクしたオーダー端末２のＩＰアドレス、ＥＳＳＩＤ、ステーション４のＩＰアドレス、情報端末１のＩＰアドレスなどの管理情報（例えば、無線部３５の設定データ）などである。なお、システム情報マスタが存在しない場合は、デフォルト値が近距離無線通信部４０による無線通信によってＩＣタグＸへ設定される。デフォルト値は、ＩＰアドレスの第４オクテッドに機器ＩＤがセットされ、残りの第１〜３は、“192.169.194”のデフォルト値がセットされる。
【００３９】
また、オーダー端末２は、機器固有のＭＡＣアドレスをオーダー端末２のＲＯＭ３２から読み込んで（入力手段３１１）、近距離無線通信部４０による無線通信によってＩＣタグＸへ設定する（第１書込手段３１２）。さらに、オーダー端末２は、タッチパネル２４やキーボード２６を介した操作で入力されたその他の設定項目も（入力手段３１１）、近距離無線通信部４０による無線通信によってＩＣタグＸへ設定する（第１書込手段３１２）。
【００４０】
［オーダー端末２の導入時］
次に、オーダー端末２における設定処理（導入時）の流れについて図５のフローチャートを参照して説明する。なお、オーダー端末２の導入に際しては、例えば導入担当者が導入店舗に赴き、サービス本部で設定済みのＩＣタグＸをオーダー端末２に取り付ける。
【００４１】
オーダー端末２を導入する場合、ユーザは、当該導入対象となる新たなオーダー端末２の電源をＯＮして起動し、設定業務（モード２）を選択する。図５のフローチャートに示すように、設定業務（モード２）が選択されると（ステップＳ１のＹｅｓ）、オーダー端末２のＣＰＵ３１（第１読込手段３１３）は、取り付けられたＩＣタグＸから当該オーダー端末２の機器ＩＤや管理情報（例えば、無線部３５の設定データ）などの設定情報を近距離無線通信部４０による無線通信によって読み込む（ステップＳ２）。
【００４２】
次いで、オーダー端末２のＣＰＵ３１（記憶手段３１４）は、取り付けられたＩＣタグＸから読み込んだ設定情報をＲＯＭ３２に記憶して設定する（ステップＳ３）。
【００４３】
なお、ＲＯＭ３２に設定した情報（ＭＡＣアドレスを除く）について変更がある場合には、ＲＯＭ３２に設定した情報をディスプレイ２４１に表示してタッチパネル２４やキーボード２６を介した操作により変更し、変更した情報をＲＯＭ３２に設定する。
【００４４】
［オーダー端末２の故障時］
次に、オーダー端末２における設定処理（故障時）の流れについて図６のフローチャートを参照して説明する。なお、オーダー端末２が故障した場合には、ユーザは、故障したオーダー端末２を例えばサービス本部に郵送する。
【００４５】
故障したオーダー端末２がサービス本部に届いた場合、入れ替え対象となる新たなオーダー端末２の電源をＯＮして起動し、設定業務（モード３）を選択する。図６のフローチャートに示すように、設定業務（モード３）が選択されると（ステップＳ１１のＹｅｓ）、新たなオーダー端末２のＣＰＵ３１（第２読込手段３１５）は、故障したオーダー端末２に取り付けられたＩＣタグＸから当該故障したオーダー端末２の機器ＩＤや管理情報（例えば、無線部３５の設定データ）などの設定情報を近距離無線通信部４０による無線通信によって読み込む（ステップＳ１２）。
【００４６】
次いで、新たなオーダー端末２のＣＰＵ３１（第２書込手段３１６）は、初期状態の別のＩＣタグＸが当該オーダー端末２に取り付けられていることを条件として、読み込んだ機器ＩＤや管理情報（例えば、無線部３５の設定データ）などの設定情報を近距離無線通信部４０による無線通信によってＩＣタグＸに対して書き込む（ステップＳ１３）。これにより、故障したオーダー端末２のＩＣタグＸと、入れ替え対象となる新たなオーダー端末２のＩＣタグＸとの間で設定情報をコピーすることができる。
【００４７】
なお、オーダー端末２のＣＰＵ３１（第２書込手段３１６）は、ＭＡＣアドレスについては当該オーダー端末２のＲＯＭ３２から読み込んで近距離無線通信部４０による無線通信によってＩＣタグＸへ設定する。
【００４８】
次いで、新たなオーダー端末２のＣＰＵ３１（第１読込手段３１３）は、設定業務（モード２）が選択されると（ステップＳ１４のＹｅｓ）、取り付けられたＩＣタグＸから設定情報を近距離無線通信部４０による無線通信によって読み込む（ステップＳ１５）。
【００４９】
次いで、オーダー端末２のＣＰＵ３１（記憶手段３１４）は、取り付けられたＩＣタグＸから読み込んだ設定情報をＲＯＭ３２に記憶して設定する（ステップＳ１６）。
【００５０】
このようにして設定情報を設定したオーダー端末２を店舗に郵送すれば、ユーザはそのままそのオーダー端末２を使用することができる。
【００５１】
以上の処理によって、故障したオーダー端末２の機器ＩＤや管理情報（例えば、無線部３５の設定データ）などの設定情報を入れ替え対象となる新たなオーダー端末２に対して無線通信によって入力することができるので、故障したオーダー端末２の機器ＩＤや管理情報（例えば、無線部３５の設定データ）などの設定情報を手入力することなく、故障端末との入れ替えを容易に行うことが可能になる。
【００５２】
このように本実施形態によれば、オーダー端末２の導入や故障時のセットアップ時間を短縮する為、手入力で設定する箇所を部分的に自動化して、サービスマン（担当者）が現地に赴き作業をする回数や時間を極力抑えることにより、オーダー端末２の導入、故障時の機器セットアップの手間を軽減することができる。
【００５３】
本実施形態のオーダー端末２で実行される制御プログラム３２１は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００５４】
さらに、本実施形態のオーダー端末２で実行される制御プログラム３２１を、インターネット等のネットワークに接続されたコンピュータ上に格納し、ネットワーク経由でダウンロードさせることにより提供するように構成しても良い。また、本実施形態のオーダー端末２で実行される制御プログラム３２１をインターネット等のネットワーク経由で提供又は配布するように構成しても良い。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
２        入力装置
４０      近距離無線通信部
３１１    入力手段
３１２    第１書込手段
３１３    第１読込手段
３１４    記憶手段
３１５    第２読込手段
３１６    第２書込手段
【先行技術文献】
【特許文献】
【００５７】
【特許文献１】特開２０１１−１７５４７６号公報
【図１】
2014109872.tif 000003
【図２】
2014109872.tif 000004
【図３】
2014109872.tif 000005
【図４】
2014109872.tif 000006
【図５】
2014109872.tif 000007
【図６】
2014109872.tif 000008